(57)【要約】【課題】組立が容易で低コストながま口の財布を提供する。【解決手段】  両端の基端部が回動可能に係合された二つの開口金具を備える口金と、前記二つの開口金具の一方に接合される第一本体部と、前記二つの開口金具のもう一方に接合される第二本体部とを備える財布本体部と、を備えた財布であって、前記第一本体部と前記第二本体部の各々は、財布内に収容物を保持する空間を形成する袋部と、該袋部を取り囲む周縁部とを備え、前記袋部は、前記周縁部に接する外側面部と、該外側面部に囲まれた上面部と、を備え、前記上面部は、前記外側面部に対して窪んだ凹部を備え、前記第一本体部と前記第二本体部の各々の前記周縁部が前記二つの開口金具の各々に接合されていることを特徴とする財布。【選択図】図１
2016221182.tif 000002
【特許請求の範囲】
【請求項１】
両端の基端部が回動可能に係合された二つの開口金具を備える口金と、
前記二つの開口金具の一方に接合される第一本体部と、前記二つの開口金具のもう一方に接合される第二本体部とを備える財布本体部と、を備えた財布であって、
前記第一本体部と前記第二本体部の各々は、財布内に収容物を保持する空間を形成する袋部と、該袋部を取り囲む周縁部とを備え、
前記袋部は、前記周縁部に接する外側面部と、該外側面部に囲まれた上面部と、を備え、
前記上面部は、前記外側面部に対して窪んだ凹部を備え、
前記第一本体部と前記第二本体部の各々の前記周縁部が前記二つの開口金具の各々に接合されていることを特徴とする財布。
【請求項２】
前記袋部は、前記第一本体部または前記第二本体部の各々より剛性を向上させる高剛性部を備えていることを特徴とする請求項１に記載の財布。
【請求項３】
前記高剛性部は、前記袋部の内面に形成されたニス層であることを特徴とする請求項２に記載の財布。
【請求項４】
前記凹部は底面と該底面を囲む外周辺とを備えており、前記底面は平面状、または湾曲状であることを特徴とする請求項１から３のいずれか一項に記載の財布。
【請求項５】
前記外周辺の前記底面からの高さは、０．５ｍｍ以上７ｍｍ以内であることを特徴とする請求項４に記載の財布。
【請求項６】
前記高剛性部は、前記凹部に設けられたソフトレジン層またはエポキシ樹脂層であることを特徴とする請求項２に記載の財布。
【請求項７】
前記財布本体部は、前記財布本体部の前記基端部に対応する部分に、前記財布本体部と前記口金を組み立てる際に、前記財布本体部の内側に内挿される内挿代を有することを特徴とする請求項１から６のいずれか一項に記載の財布。
【発明の詳細な説明】
【技術分野】
【０００１】
本発明は、がま口の財布の技術に関する。
【背景技術】
【０００２】
従来より、口金と、金銭等の収容物を保持する財布本体部とを備える財布は、がま口と称されている。
【０００３】
口金は一対の開口金具を揃えており、それらの基端部が２本の軸を介して互いに連結されていることによって、軸を中心として回動可能に形成されている。このため、がま口の開口部は開閉自在である。これらの口金を閉じ合わせたときにその閉じ合わせ状態を維持しておくための互いに係合可能な一対の係合用突起が設けられている。
【０００４】
財布本体部は、金銭等の収容物を保持できるように、柔軟な材料で形成されており袋状となっている。そして、口金の開閉に合わせて袋状の財布本体部が柔軟に形状変化する。
【０００５】
係合用突起を片手の指で操作することで、がま口は容易に開閉可能となっている。
【先行技術文献】
【特許文献】
【０００６】
【特許文献１】特開２０００−４９１６号公報
【発明の概要】
【発明が解決しようとする課題】
【０００７】
がま口は、財布本体部が柔軟な材料で形成されているので、口金の開閉に合わせて形状が柔軟に変化し、ポケットやかばんなどの狭い空間に収納される際にも、自在に変形し、収納が容易であるという特徴を有す。
【０００８】
しかしながら、財布本体部が柔軟であるという特徴は、他面において短所ともなる。がま口を製造するに際しては、財布本体部を口金に接合する工程が非常に煩雑である。口金はコの字状の断面を有する開口金具を備え、作業者は、開口金具に財布本体部の一端を接入させ、コの字状の開口部をかしめることで、口金に財布本体部を接合させる。この工程においては、財布本体部の一端を開口金具に接入させる作業は困難を伴う。具体的には、財布本体部は柔軟であるので形状が変化しやすくなり、財布本体部の一端の形状も変化しやすくなり開口金具に沿いにくくなる。また、財布本体部は作業者が把持する箇所がないので作業しにくい。
【０００９】
このように、作業者が財布本体部の一端を口金へ接入させる工程は熟練を要し、作業性の低い組立工程となり、かつコストが高くなるという不具合が生じる。
【００１０】
本発明の目的は、組立が容易で低コストながま口の財布を提供することである。
【課題を解決するための手段】
【００１１】
前述の目的は、下記に記載する発明により達成される。
【００１２】
１．両端の基端部が回動可能に係合された二つの開口金具を備える口金と、前記二つの開口金具の一方に接合される第一本体部と、前記二つの開口金具のもう一方に接合される第二本体部とを備える財布本体部と、を備えた財布であって、前記第一本体部と前記第二本体部の各々は、財布内に収容物を保持する空間を形成する袋部と、該袋部を取り囲む周縁部とを備え、前記袋部は、前記周縁部に接する外側面部と、該外側面部に囲まれた上面部と、を備え、前記上面部は、前記外側面部に対して窪んだ凹部を備え、前記第一本体部と前記第二本体部の各々の前記周縁部が前記二つの開口金具の各々に接合されていることを特徴とする財布。
【００１３】
２．前記袋部は、前記第一本体部または前記第二本体部の各々より剛性を向上させる高剛性部を備えていることを特徴とする前記１に記載の財布。
【００１４】
３．前記高剛性部は、前記袋部の内面に形成されたニス層であることを特徴とする前記２に記載の財布。
【００１５】
４．前記凹部は底面と該底面を囲む外周辺とを備えており、前記底面は平面状、または湾曲状であることを特徴とする前記１から３のいずれか一項に記載の財布。
【００１６】
５．前記外周辺の前記底面からの高さは、０．５ｍｍ以上７ｍｍ以内であることを特徴とする前記４に記載の財布。
【００１７】
６．前記高剛性部は、前記凹部に設けられたソフトレジン層またはエポキシ樹脂層であることを特徴とする前記２に記載の財布。
【００１８】
７．前記財布本体部は、前記財布本体部の前記基端部に対応する部分に、前記財布本体部と前記口金を組み立てる際に、前記財布本体部の内側に内挿される内挿代を有することを特徴とする前記１から６のいずれか一項に記載の財布。
【発明の効果】
【００１９】
組立が容易で低コストながま口の財布を提供できる。
【図面の簡単な説明】
【００２０】
【図１】第一実施形態に係る財布１の概略を示す三面図である。
【図２】第一実施形態に係る財布１の断面図であり、図２（ａ）はＡ−Ａ断面図であり、図２（ｂ）はＢ−Ｂ断面図である。
【図３】がま口１を開いた場合の斜視図である。
【図４】組立前の財布本体部５の平面図と正面図（図４（ａ））と、財布本体部５の長手方向の断面のＣ−Ｃ断面図（図４（ｂ））である。
【図５】袋部５３，５４の概要図である。図５（ａ）は、底面７１，７２が略平面の場合の袋部５３，５４の断面図である。図５（ｂ）は、底面７１，７２が袋部５３，５４の内部方向に湾曲した湾曲状の場合の袋部５３，５４の断面図である。図５（ｃ）は凹部６３１と凹部６３２の二箇所の凹部が左右に配置されている上面部６０、６１の平面図である。図５（ｄ）は凹部６３３と凹部６３４と凹部６３５との三箇所の凹部が並んで配置されている上面部６０、６１の平面図である。図５（ｅ）は凹部６３６と凹部６３７と凹部６３８と凹部６３９の四箇所の凹部が四方に配置されている上面部６０、６１の平面図である。図５（ｆ）は凹凸状の外周辺６４，６５の概要図である。
【図６】組立前の財布本体部５を、折目１３で折った状態で示した平面図（図６（ａ））と正面図（図６（ｂ））である。
【図７】一対の開口金具２，３の三面図（図７（ａ））と、開口金具２，３の断面であるＤ−Ｄ断面図（図７（ｂ））である。
【図８】開口金具２，３が基端部１１に２本の軸９を介されて互いに連結されている様子を示す概要図である。
【図９】財布本体部５と開口金具２，３との組み立て方を示す概要斜視図である。
【図１０】財布本体部５と開口金具２，３との組み立て方を示す概要平面図（図１０（ａ））と概要正面図（図７（ｂ））である。
【図１１】財布本体部５を作業者が把持する様子を示した概要正面図である。
【図１２】財布本体部５を作業者が把持する様子を示した概要斜視図である。
【図１３】プレス開始前の工程の概要図である。
【図１４】プレス実施時の工程の概要図である。
【図１５】プレスにより作製された財布本体部５の概要断面図である。
【図１６】袋部５３，５４の剛性を向上させる手段の概要を示す断面図である。図１６図（ａ）は、袋部５３，５４の内側に高剛性部９５，９６を設けた場合であり、図１６（ｂ）は、袋部５３，５４の上面部６０，６１に高剛性部９７，９８を設けた場合を示す。
【図１７】基端部１１付近の財布本体部５の隙間を表す概要図である。
【図１８】組立前の財布本体部５の平面図である。
【図１９】財布１を開いた場合の斜視図である。
【図２０】内挿代８１，８２を有する財布２０の側面図である。
【発明を実施するための形態】
【００２１】
本発明に係る財布は、金銭を収容できることは勿論のこと、金銭のみならず、色々な収容物の保持に供することが可能である。例えば貴金属や宝石やジュエリーなどを収容する携帯ジュエリーケースとしても用いることが可能である。
【００２２】
以下、本発明の各実施の形態について説明をする。図１は、第一実施形態に係る財布１の概略を示す三面図である。図２は、第一実施形態に係る財布１の断面図であり、図２（ａ）はＡ−Ａ断面図であり、図２（ｂ）はＢ−Ｂ断面図である。図３は、財布１を開いた場合の斜視図である。図４は、組立前の財布本体部５の平面図と正面図（図４（ａ））と、財布本体部５の長手方向の断面のＣ−Ｃ断面図（図４（ｂ））である。図５は、袋部５３，５４の概要図である。図５（ａ）は、底面７１，７２が略平面の場合の袋部５３，５４の断面図である。図５（ｂ）は、底面７１，７２が袋部５３，５４の内部方向に湾曲した湾曲状の場合の袋部５３，５４の断面図である。図５（ｃ）は凹部６３１と凹部６３２の二箇所の凹部が左右に配置されている上面部６０、６１の平面図である。図５（ｄ）は凹部６３３と凹部６３４と凹部６３５との三箇所の凹部が並んで配置されている上面部６０、６１の平面図である。図５（ｅ）は凹部６３６と凹部６３７と凹部６３８と凹部６３９の四箇所の凹部が四方に配置されている上面部６０、６１の平面図である。図５（ｆ）は凹凸状の外周辺６４，６５の概要図である。図６は、組立前の財布本体部５を、折目１３で折った状態を示した平面図（図６（ａ））と正面図（図６（ｂ））である。
【００２３】
第一実施形態に係る財布１は、既存の一般のがま口と略同様な構成であり、図１に示されているように、財布本体部５と、口金１０を具備して構成されている。
【００２４】
財布本体部５は、金銭等の収容物を保持する袋部５３，５４を備えた第一本体部５１と第二本体部５２を有している。
【００２５】
第一本体部５１と第二本体部５２は、一枚の材料に対して加工することで作製されていてもよいし、各々別個に作製して連結させて作製してもよい。以下は、一枚の材料に対して加工することで作製する場合を示す。
【００２６】
なお、第一本体部５１と第二本体部５２とを、各々別個に作製して連結させて作製する方法には、第一本体部５１と第二本体部５２とを各々作製し、第一本体部５１と第二本体部５２とを縫いあわせ、又は接着等することで、連結させるという方法がある。
【００２７】
第一本体部５１と第二本体部５２とは折りたたまれて向かい合わされており、第一本体部５１と第二本体部５２の周縁部５５，５６が口金１０に接合されている。
【００２８】
口金１０は一対の開口金具２，３とを備えている。
【００２９】
一対の開口金具２，３は、それらの基端部１１が２本の軸９を介して互いに連結されている。そして開口金具２，３は、図３に示されているように、軸９を中心として矢印Ｎ方向に回動可能である。このため、財布１の口金１０は開閉自在である。一対の開口金具２，３には、これらの開口金具２，３を閉じ合わせたときにその閉じ合わせ状態を維持しておくための互いに係合可能な一対の係合用突起６，７が設けられている。
【００３０】
財布本体部５は、図４（ａ）に示されているように、折目１３を境に、第一本体部５１と第二本体部５２と備える。折目１３は、財布本体部５のほぼ中心に設けられている。
【００３１】
上述のように、第一本体部５１と第二本体部５２とが各々作製され、第一本体部５１と第二本体部５２とが縫いあわされ、または接着等されている場合には、折目１３が縫い目や接着部になる。
【００３２】
第一本体部５１と第二本体部５２の各々は、金銭等の収容物を保持するために山形形状に突出した袋部５３，５４と、その袋部５３，５４の各々を囲む周縁部５５、５６を備えている。
【００３３】
袋部５３，５４は図４では台形形状を備えているがこれに限られない。周縁部５５、５６は略平面状である。
【００３４】
袋部５３，５４の各々は、各周縁部５５，５６に接する外側面部５７、５８と、外側面部５７、５８に囲まれた上面部６０、６１とを備えている。
【００３５】
上面部６０、６１は、外側面部５７、５８の上辺に対して窪んだ凹部６２，６３を備えており、底面７１，７２を有する。凹部６２，６３は外側面部５７、５８の上辺に対して窪んだ形になっており、凹部６２，６３は、外側面部５７、５８の上辺である土手状の外周辺６４，６５に囲繞されている。
【００３６】
底面７１，７２は、図５（ａ）に示されているように略平面であってもよいし、図５（ｂ）に示されているように袋部５３，５４の内部方向に湾曲した湾曲状になっていてもよい。
【００３７】
図５（ａ）、（ｂ）に示されているように、凹部６２，６３は、外周辺６４，６５の天辺からｈの深さを有している。深さｈは、外周辺６４，６５と底面７１，７２との境目である境界線７５と、外周辺６４，６５の天辺までの長さとする。
【００３８】
凹部は複数存在してもよく、図５（ｃ）は凹部６３１と凹部６３２の二箇所の凹部が左右に配置されている上面部６０、６１の平面図であり、図５（ｄ）は凹部６３３と凹部６３４と凹部６３５との三箇所の凹部が並んで配置されている上面部６０、６１の平面図であり、図５（ｅ）は凹部６３６と凹部６３７と凹部６３８と凹部６３９の四箇所の凹部が四方に配置されている上面部６０、６１の平面図である。なお、複数の凹部の配置は、上記に限られない。
【００３９】
これらの凹部は、後に説明するように、財布１を作業者が組立するに際して、作業者が把持するに適した構造となっており、財布１の組立を容易に行うことが可能となり、かつ組立コスト低減により低コストな財布１を得ることに貢献するものである。
【００４０】
凹部が複数配置されている場合の外周辺とは、各凹部を囲繞する辺のことを示すものとする。
【００４１】
以下は、図４に示すように、財布１は凹部を一箇所のみ有するものとして説明する。
【００４２】
外周辺６４，６５は、図５（ｆ）に示されているように、凹凸状であってもよい。外周辺６４，６５が凹凸状である場合には、凹部６２，６３の深さｈは、外周辺６４，６５の凸部の天辺から境界線７５までの長さとする。
【００４３】
図６に示されているように、財布本体部５の折目１３を中心に二つ折りにして、袋部５３，５４の金銭等の収容物の収容部を対抗させる。そして、第一本体部５１と第二本体部５２の周縁部５５，５６が、開口金具２，３の各々に接入され、かしめられて接合されることとなる。
【００４４】
図７は、一対の開口金具２，３の三面図（図７（ａ））と、開口金具２，３の断面であるＤ−Ｄ断面図（図７（ｂ））である。
【００４５】
一対の開口金具２，３は断面が略コの字状の溝型形状部分である接入開口１００を有している。接入開口１００には財布本体部５の周縁部５５，５６を接入でき、周縁部５５，５６を挟み付けるようにかしめられる形状になっている。なお、接入開口１００の断面は略コの字状に限られず、アーチ状やＵ字状等の他の形状であってもよい。
【００４６】
接入開口１００をかしめる場合に、周縁部５５，５６に予め紐状部材などの適当な厚みをもった可撓性部材を挿入しておき、この可撓性部材と一緒に財布本体部５の周縁部５５，５６をその両面側から挟み付けるようにすれば、容易にかしめることが可能であり好ましい。
【００４７】
図８は、開口金具２，３が基端部１１に２本の軸９を介されて互いに連結されている様子を示す概要図である。本実施形態では、がま口の財布の一般的な形状を有しているが、この例に限られない。例えば、開口金具２，３はＵ字状になっているが、コの字状であってもよい。
【００４８】
次いで、財布本体部５と開口金具２，３とを組み立てる工程について説明する。
【００４９】
図９は、財布本体部５と開口金具２，３との組み立て方を示す概要斜視図である。
【００５０】
図１０は、財布本体部５と開口金具２，３との組み立て方を示す概要平面図（図１０（ａ））と概要正面図（図７（ｂ））である。
【００５１】
財布１の組立は、図９、図１０に示されているように、開口金具２，３の各々が有する接入開口１０１，１０２に、周縁部５５，５６を接入させることで行う。
【００５２】
図９、図１０に示されているように、開口金具２，３の各々は、本実施形態の場合にはＵ字状をなしており、また、周縁部５５，５６も同様にＵ字状をなしており、接入開口１０１，１０２に、周縁部５５，５６を接入させるに適した形状となっている。接入後に、図示しないかしめ治具を用いて、接入開口１０１，１０２をかしめることで、周縁部５５，５６を接合させる。
【００５３】
図１１は、財布本体部５を作業者が把持する様子を示した概要正面図である。
【００５４】
図１２は、財布本体部５を作業者が把持する様子を示した概要斜視図である。
【００５５】
開口金具２，３の各々が有する接入開口１０１，１０２に、周縁部５５，５６を接入させる工程では、図１１，１２に示されているように、作業者は、例えば親指と人差し指で財布本体部５の凹部６２，６３を挟み、財布本体部５をしっかりと把持する。そしてそのまま開口金具２，３の各々が有する接入開口１０１，１０２に、周縁部５５，５６を接入させることが可能となる。
【００５６】
従来の組立に際しては、財布本体部５は作業者が把持する箇所がないので、作業しにくいという不具合があった。しかし、本実施形態においては、袋部５３，５４自体に凹部６２，６３が形成されており、その凹部６２，６３自体が把持するための機能をもつことになり、組立を容易に行うことが可能となり組立コスト低減により低コストの財布１を得ることができる。
【００５７】
このように、作業者が財布本体部５をしっかりと把持する機能は、図５（ｃ）、（ｄ）、（ｅ）の場合のように凹部が複数存在する際にも、指が各々の凹部にしっかりと係ることになるので、同様に発揮されることは言うまでもない。
【００５８】
上記のように、凹部６２，６３は底面７１，７２と、この底面７１，７２を囲む外周辺６４，６５とを備えている。作業者が財布本体部５はしっかりと把持できるという効果は、底面７１，７２を指で押さえ、外周辺６４，６５が指のすべりを防ぐからと言える。このような効果を得るには、底面７１，７２は、平面状、または袋部５３，５４の内部方向に湾曲した湾曲状であることが望ましい。また、外周辺６４，６５を図５（ｆ）に示すように凹凸状に形成すれば、指が外周辺６４，６５の凹凸部にさらにしっかりと係る効果を得られ、作業者が財布本体部５をよりしっかりと把持することができることとなる。
【００５９】
指のすべりをさらに無くすには、底面７１，７２に対する外周辺６４，６５の高さｈを高くすることが効果的であるが、高くなりすぎると逆に凹部６２，６３が深くなって指で把持しにくくなる。本発明者は実験により、かかる高さｈと指のすべりの関係を検討した結果、底面７１，７２に対する外周辺６４，６５の高さは、０．５ｍｍ以上でかつ７ｍｍ以内であることが望ましいことが判明した。そして、より望ましくは、１ｍｍ以上でかつ６ｍｍ以内であることを突き止めた。加えるに、凹部６２，６３が余りに深くなると、袋部５３，５４の収容する金銭等の収容物の量が減るという側面からも、高さｈのかかる上限が望ましい。このように、底面７１，７２に対する外周辺６４，６５の高さｈを最適化することで、作業者が財布本体部５をしっかりと把持でき、財布１の組立を容易にすることができる。
【００６０】
また、財布１の組立てをさらに容易にするには、作業者が把持する財布本体部５の剛性を向上させることが望ましい。具体的には、直接に把持する袋部５３，５４の剛性を向上させることが望ましいので、第一本体部５１、または第二本体部５２の各々より剛性を向上させる高剛性部を袋部５３，５４に設けることが望ましい。高剛性部については後述する。
【００６１】
次いで、財布本体部５や開口金具２，３を作製する工程について説明する。
【００６２】
上記のように、財布１の組立てをさらに容易にするには、袋部５３，５４の剛性を向上させることが望ましいので、袋部５３，５４の剛性を向上させる作製工程を選択する。皮革の剛性を向上させる手段の一つとして、プレスを選択する。皮革をプレスすることで、皮革が圧縮されるので、皮革の剛性が向上するためである。
【００６３】
以下はプレスによって作製する工程を例示する。
【００６４】
図１３は、プレス開始前の工程の概要図であり、図１４は、プレス実施時の工程の概要図であり、図１５は、プレスにより作製された財布本体部５の概要断面図である。
【００６５】
口金１０における開口金具２，３については、例えば真鍮をプレスして作製することができる。
【００６６】
皮革９３には、牛皮、馬皮などの天然皮革を用いる。
【００６７】
金型は金型９１と金型９２の二つを作製しておき、例えば、図１３に示されているように、プレス機の下型に金型９２を設置し、上型に金型９１を設置し、上型と下型の間に、皮革９３を挟み込む。次いで、図１４に示されているように、プレス機を動作させて皮革９３を金型９２と金型９１とでプレスする。そして図１５に示されているように、両型を離間させて、成形品９４を得る。このように、プレスにより成形を行うと、皮革が金型から圧力を受けるので、皮革は離形後に材料自体が圧縮されるので硬化する。皮革が硬化することで、財布として型崩れしにくくなる。
【００６８】
次いで、さらに財布本体部５の剛性を向上させる手段について説明する。図１６は、袋部５３，５４の剛性を向上させる手段の概要を示す断面図である。図１６図（ａ）は、袋部５３，５４の内側に高剛性部９５，９６を設けた場合であり、図１６（ｂ）は、袋部５３，５４の上面部６０，６１に高剛性部９７，９８を設けた場合を示す。
【００６９】
財布本体部５の第一本体部５１と第二本体部５２とが折目１３にて折られた後に、周縁部５５，５６が開口金具２，３に接入されることから、周縁部５５，５６は開口金具２，３にしっかりと支持された状態となる。そのため、剛性を向上させるべき箇所は周縁部５５，５６に囲まれた袋部５３，５４となる。
【００７０】
袋部５３，５４の剛性を向上させる方法として、袋部５３，５４の内側に高剛性部を設ける方法と、袋部５３，５４の外側に高剛性部を設ける方法とがある。
【００７１】
袋部５３，５４の内側に高剛性部を設ける場合には、図１６（ａ）に示すように、袋部５３，５４の内面に沿うようにニスを塗布することが効果的である。
【００７２】
ニスの例として、水性ウレタンニスがある。水性ウレタンニスには所定の合成樹脂類が水分の中に含まれており、水分が蒸発すると合成樹脂類が硬化し、袋部５３，５４の内面に剛性を与える。なお、水性ニスの代わりに、皮革の硬化用に一般的に使用される硬化剤を用いてもよい。かかる硬化剤は、皮革の内部まで染み込み、皮革を硬化させる。
【００７３】
袋部５３，５４の外側に高剛性部を設ける場合には、図１６（ｂ）に示すように、袋部５３，５４の上面の凹部にソフトレジンやエポキシ樹脂を盛ることが効果的である。
【００７４】
凹部６２，６３の形状は、粘性の高いソフトレジンやエポキシ樹脂を盛ることに適している。凹部６２，６３は作業者が組立を行う際に、指で把持するに適した構造であるが、ソフトレジンやエポキシ樹脂を形成すると、袋部５３，５４の上面部６０，６１の剛性が向上するので、作業者が組立を行う際に、指で把持するのに適したものとなる。なお、ソフトレジンやエポキシ樹脂を形成するのは、財布本体部５と、開口金具２，３とを組み付けた後に行ってもよい。
【００７５】
財布本体部５と、開口金具２，３とを組み付けた後であっても、財布１自体の剛性を向上させることに有効である。特にソフトレジンは、エポキシ樹脂に比べて柔軟である。そのため財布本体部５に剛性を付与すると共に、適度に変形するので、財布１が人のポケット等の狭い空間に入れられた際にも柔軟に変形するという長所がある。
【００７６】
また、透明なソフトレジンやエポキシ樹脂を用いることで、高剛性化による財布１の組立性の向上効果以外に、財布１のデザインのバリエーションを向上させる効果も期待できる。
【００７７】
透明なソフトレジンやエポキシ樹脂の中に、宝石、貴金属、ビース、ガラス、宝飾物などを含入させることで、観者を惹きつけるデザインが可能となる。また、文字情報や画像等の記されたフィルムや紙を含入させることによってもデザインのバリエーションを向上させることができる。ソフトレジンやエポキシ樹脂自体が色付きの透明な材料であってもよい。
【００７８】
なお、ソフトレジンには、紫外線硬化樹脂が適している。紫外線硬化樹脂は紫外線であるＵＶ光（ｕｌｔｒａ  ｖｉｏｌｅｔ  光）で硬化する。
【００７９】
次いで、第二実施形態について説明する。図１７は、基端部１１付近の財布本体部５の隙間を表す概要図である。図１８は、組立前の財布本体部５の平面図である。図１９は、がま口１を開いた場合の財布２０の斜視図である。図２０は、内挿代８１，８２を有する財布２０の側面図である。  第二実施形態の財布２０は第一実施形態の財布１とほぼ同様の構造を有する。
【００８０】
第二実施形態の場合も、財布本体部５の周縁部５５，５６は、開口金具２，３が有する接入開口１０１，１０２に接入されている。財布本体部５は折目１３を中心に折られており、この折目１３は基端部１１付近に位置する。折目１３の位置が基端部１１からずれると、図１７に示されているように、隙間７０が発生する場合がある。すなわち、収容する金銭等の収容物の量を多くするために、袋部５３，５４を大きくする場合や、財布としての使用により皮革が伸びること等で隙間７０が発生する場合がある。このような隙間７０が発生すると、財布２０の中身が抜け出る可能性がある。そこで、本実施形態では、図１８に示すように、内挿代８１，８２を設ける。
【００８１】
内挿代８１，８２と財布本体部５の間には、切目８５，８６，８７，８８が設けられている。図１９に示されているように、財布本体部５が折目１３で二つ折りされた際に、内挿代８１，８２は、隙間７０の空間を埋めるように財布本体部５内部に内挿される。かかる内挿代８１，８２の存在により、財布２に保持された金銭等の収容物の中身が外部に抜け出ることを防ぐことができる。
【００８２】
図２０は、内挿代８１，８２を有する財布２０の側面図であり、隙間７０が内挿代８１，８２により防がれていることが分かる。
【００８３】
以上のように本発明によれば、両端の基端部が回動可能に係合された二つの開口金具を備える口金と、前記二つの開口金具の一方に接合される第一本体部と、前記二つの開口金具のもう一方に接合される第二本体部とを備える財布本体部と、を備えた財布であって、前記第一本体部と前記第二本体部の各々は、財布内に収容物を保持する空間を形成する袋部と、該袋部を取り囲む周縁部とを備え、前記袋部は、前記周縁部に接する外側面部と、該外側面部に囲まれた上面部と、を備え、前記上面部は、前記外側面部に対して窪んだ凹部を備え、前記第一本体部と前記第二本体部の各々の前記周縁部が前記二つの開口金具の各々に接合されていることで、凹部６２，６３自体が把持するための機能をもつことになり、組立を容易に行うことが可能となり組立コスト低減により低コストの財布１を得ることができる。なお、凹部が複数存在する際にも、指が各々の凹部にしっかりと係ることになるので、同様に発揮されることは言うまでもない。
【００８４】
また、本発明によれば、袋部５３，５４は、第一本体部５１または第二本体部５２の各々より剛性を向上させる高剛性部９５，９６，９７，９８を備えていることで、袋部５３，５４の剛性が向上するので、作業者が組立を行う際に、指で把持するのに適したものとなる。
【００８５】
また、本発明によれば、高剛性部９５，９６，９７，９８は、袋部５３，５４の内面に形成されたニス層であることで、刷毛による塗布などで容易に袋部５３，５４の内面に形成できる。
【００８６】
また、本発明によれば、凹部６２，６３は底面７１，７２と底面７１，７２を囲む外周辺６４，６５とを備えており、底面７１，７２は平面状、または湾曲状であることで、外周辺６４，６５に指が係りやすいので、指のすべりを容易に防ぐことができる。
【００８７】
また、本発明によれば、  外周辺６４，６５の底面７１，７２からの高さは、０．５ｍｍ以上７ｍｍ以内であることで、指のすべりを防ぐ効果と、指で把持する効果とを両立することができ、財布１，２０の組立をさらに容易にすることができる。
【００８８】
また、本発明によれば、高剛性部９５，９６，９７，９８は、凹部６２，６３に設けられたソフトレジン層またはエポキシ樹脂層であることで、指で直接触れる箇所の剛性が向上するので、作業者が組立を行う際に、指で把持するのに適したものとなる。
【００８９】
また、組立作業の後に、ソフトレジン層またはエポキシ樹脂層を形成した場合には、財布１，２の剛性を向上させるのに役立ち、財布を丈夫にすることができる。
【００９０】
加えるに、形成タイミングが組立作業の前後であることを問わず、ソフトレジンを形成した場合には、ソフトレジン自体が適度に変形するので、財布１、２が人のポケット等の狭い空間に入れられた際にも柔軟に変形するという長所がある。
【００９１】
特に、透明なソフトレジンやエポキシ樹脂を用いれば、底面７１，７２が外部から視認可能であり、底面７１，７２に文字や装飾を施しても観察可能となる。
【００９２】
また、本発明によれば、財布本体部５は、財布本体部５の基端部１１に対応する部分に、財布本体部５と口金１０を組み立てる際に、財布本体部５の内側に内挿される内挿代８１，８２を有することで、財布２に収容された金銭等の収容物の中身が外部に抜け出ることを防ぐことができる。
【符号の説明】
【００９３】
１       財布
２，３              開口金具
５       財布本体部
９       軸
１０    口金
１１    基端部
１３    折目
２０    財布
５１    第一本体部
５２    第二本体部
５３，５４       袋部
５５，５６       周縁部
５７，５８       外側面部
６０，６１       上面部
６２，６３       凹部
６４，６５       外周辺
６７    係合用突起
７０    隙間
７１，７２       底面
７５    境界線
８１，８２       内挿代
８５，８６，８７，８８              切目
９１，９２       金型
９３    皮革
９４    成形品
９５，９６，９７，９８              高剛性部
１００，１０１，１０２              接入開口
６３１，６３２，６３３，６３４，６３５，６３６，６３７，６３８，６３９    凹部
【図６】
2016221182.tif 000003
【図８】
2016221182.tif 000004
【図１７】
2016221182.tif 000005
【図１９】
2016221182.tif 000006
【図２０】
2016221182.tif 000007
【図１】
2016221182.tif 000008
【図２】
2016221182.tif 000009
【図３】
2016221182.tif 000010
【図４】
2016221182.tif 000011
【図５】
2016221182.tif 000012
【図７】
2016221182.tif 000013
【図９】
2016221182.tif 000014
【図１０】
2016221182.tif 000015
【図１１】
2016221182.tif 000016
【図１２】
2016221182.tif 000017
【図１３】
2016221182.tif 000018
【図１４】
2016221182.tif 000019
【図１５】
2016221182.tif 000020
【図１６】
2016221182.tif 000021
【図１８】
2016221182.tif 000022